(57)【要約】【課題】傘の出し入れが容易で使い勝手が良く、また、盗難を防止するために抜き盗り困難な公共施設等への設置に好適な傘立てを提供する。【解決手段】開錠状態から筒状傘収納部２に傘を収納し、ツル６を矢印方向に押し込む。すると、ツル６はスプリング７に抗してボックス状鍵本体５内に進入し、凹部６ａが係止部材８の先端部の位置までくる。すると、スプリング９の弾発力によって係止部材８が図中左方に移動し、係止部材８の先端部が凹部６ａに係合する。またこの動きにつれて回転体１１及びピン１２は反時計方向に回動する。施錠状態では、ツル６によって囲まれる領域が狭くなるので、傘を引き出そうとしても引き出すことはできない。【選択図】　図５
2004135763.tif 000002
【特許請求の範囲】
【請求項１】
筒状傘収納部と鍵からなる傘立てにおいて、前記鍵はＵ字状をなすツルを有し、開錠状態で前記ツルの内径と筒状傘収納部の上端部内径とは略等しくされ、且つ前記ツルの下端と筒状傘収納部の上端部とは密に接していることを特徴とする傘立て。
【発明の詳細な説明】
【０００１】
【発明の属する技術分野】
本発明は、傘の出し入れを容易に行うことのできる鍵付きの傘立てに関する。
【０００２】
【従来の技術】
公共施設等における複数の傘を収納するための傘立ては、特に奥側の傘収納部が使いにくいという難点があった。そこで特開２０００−２２５０５０号公報では、手前側、奥側を問わず傘の出し入れを容易にし使い勝手を改善するために、傘挿入孔である筒状部の周縁端に傾斜状のフランジ部を設け、傘挿入孔の開口面積を大きくしている。
【０００３】
公共施設等におけるもう一つの問題は傘の盗難である。特開２００１−３３３８５２号公報では、傘の抜き盗りを防止するために、傘の柄配置空間に傘の回転を防止する手段と傘の引き抜きを防止する手段とを設けている。
【０００４】
【発明が解決しようとする課題】
従来の鍵付きの傘立ての問題点は、傘を入れる際に、傘の柄の部分を鍵の柄配置空間に収めなければならず、この作業が面倒である。また傘を取り出す際に傘の骨が鍵の柄配置空間に引っ掛かってしまう点である。
【０００５】
本発明の目的は、傘の出し入れが容易で使い勝手が良く、また、盗難を防止するために抜き盗り困難な構成を有する、公共施設等への設置に好適な傘立てを提供することである。
【０００６】
【課題を解決するための手段】
本発明の傘立ては、筒状傘収納部と鍵を備え、前記鍵はＵ字状をなすツルを有し、開錠状態で前記ツルの内径と筒状傘収納部の上端部内径とは略等しくされ、且つ前記ツルの下端と筒状傘収納部の上端部とは密に接した構成とした。
【０００７】
【発明の実施の形態】
本発明の実施の形態について添付した図面に基づき説明する。図１は本発明の傘立ての一例を示す概要図、図２は開錠状態を示す要部の拡大斜視図、図３は施錠状態を示す要部の拡大斜視図である。傘立て１は筒状傘収納部２と鍵３とから構成される。
【０００８】
筒状傘収納部２はプラスチックなどからなり、フレーム４に所定間隔離して複数個固定されている。筒状傘収納部２を透明なプラスチックとすれば、収納された傘の色柄等が判別し易くなり好ましい。また長さについては約５０ｃｍとすれば、種々の長さの傘の収納に対応できるとともに、万が一傘が落下しても取り上げるのが容易となる。
また、図では５本の円筒状傘収納部２を水平方向に配置したが、多段状にしてもよく、円筒状ではなく平面視で半円形或いは角筒状でもよい。またフレーム４の材質・形状も任意である。
【０００９】
一方、フレーム４の上縁部には鍵３のボックス状鍵本体５が固着され、この鍵本体５にＵ字状をなすツル６が出没可能に取り付けられている。ツル６の円弧の内径は前記円筒状傘収納部２の上端部の内径と略等しく、図２に示すように、ツル６が突出した開錠状態でツル６の円弧の部分と筒状傘収納部２の上端部とが平面視で重なるように設定している。なお、このときツル６の下端面と筒状傘収納部２の上端面とは接している。
【００１０】
ボックス状鍵本体５の内部構造を図４及び図５に基づいて説明する。先ず、ボックス状鍵本体５に対し、Ｕ字状をなすツル６は摺動自在に保持されるとともに、スプリング７にて突出方向（開錠方向）に付勢され、更にツル６が突出した際に、ボックス状鍵本体５から抜け落ちるのを係止リング７ａにて防止している。
【００１１】
また、ツル６の左右の一方の脚部には凹部６ａが形成され、この凹部６ａに対応するボックス状鍵本体５内にはツル６と直交方向に摺動可能な係止部材８を設けている。係止部材８は先端部が尖っており、基端部がスプリング９にて突出方向に付勢され、更に中間部にはカム面１０が形成されている。
【００１２】
また、ボックス状鍵本体５内にはキーによって回転体１１を設け、この回転体１１にピン１２を一体的に固着し、このピン１２の先端を前記カム面１０内に係合せしめている。
【００１３】
而して、図２および図４に示す開錠状態から筒状傘収納部２に傘を収納し、ツル６を矢印方向に押し込む。すると、ツル６はスプリング７に抗してボックス状鍵本体５内に進入し、凹部６ａが係止部材８の先端部の位置まで来る。
すると、スプリング９の弾発力によって係止部材８が図中左方に移動し、係止部材８の先端部が凹部６ａに係合する。またこの動きにつれて回転体１１及びピン１２は反時計方向に回動する。この状態を図５の施錠状態で示している。
【００１４】
施錠状態では、図３及び図５に示すように、ツル６によって囲まれる領域が狭くなるので、傘を引き出そうとしても引き出すことはできない。
【００１５】
次に、開錠するには、キー１３を回転体１１のキー穴に差し込んで図５において右回転させる。すると回転体１１及びピン１２が時計方向に回転し、これにつれて係止部材８が図において右方に移動し、係止部材８の先端が凹部６ａから抜ける。その結果、スプリング７の弾発力でツル６が突出する。この状態が図２および図４に示す開錠状態である。
【００１６】
図６は別実施例の要部の斜視図、図７は図６のＡ−Ａ方向の断面図であり、この実施例にあっては、ツルの形状を上方に向かって拡径するテーパ状にしている。このような形状とすることで、傘を上から筒状収納部に挿入する際のガイドとしてもツルが機能することになる。
【００１７】
尚、鍵の内部構造については上記に限定されるものではなく、一般的な構造、例えば自転車や銭湯において用いられている鍵構造が利用できる。
【００１８】
【発明の効果】
本発明の傘立ては、鍵のツルの内径と筒状収納部の内径とが略同じであるため、傘を閉じた後に紐で骨を束ねることなしに筒状収納部に差し込んでも、鍵のツルの内径と筒状収納部の内径とが略同じであれば、引き出す際に引っ掛かることがなく、したがって傘の挿し入れや抜き出しが極めて容易になる。
【００１９】
また本発明に係る傘立ては柄の部分を鍵の狭い収納空間に押し込むことがないので、柄の向きがどちらを向いていても何ら問題なくロックすることができ、急いでいる場合、老人や子供にも簡単に操作できる。
【００２０】
このように、本発明の傘立ては上記の通り抜き挿しが容易であり、かつ、盗難の防止にも有効なため、学校、図書館、体育館等の公共施設に設置するに好適である。
【図面の簡単な説明】
【図１】本発明の傘立ての一例を示す概要図である。
【図２】開錠状態を示す要部の拡大斜視図
【図３】施錠状態を示す要部の拡大斜視図
【図４】開錠状態の鍵本体内を説明した図
【図５】施錠状態の鍵本体内を説明した図
【図６】別実施例の要部の斜視図
【図７】図６のＡ−Ａ方向断面図
【符号の説明】
１…傘立て、２…筒状傘収納部、３…鍵、４…フレーム、５…鍵本体、６…ツル、６ａ…凹部、７…スプリング、８…係止リング、９…スプリング、１０…カム面、１１…回転体、１２…ピン、１３…キー。
【図１】
2004135763.tif 000003
【図２】
2004135763.tif 000004
【図３】
2004135763.tif 000005
【図４】
2004135763.tif 000006
【図５】
2004135763.tif 000007
【図６】
2004135763.tif 000008
【図７】
2004135763.tif 000009